(57)【要約】      （修正有）【課題】工場や事務所等で大量に排出されるゴミを圧縮させ、ゴミ袋費用や産業廃棄物支払金の節約が可能となる低コストのゴミ圧縮装置を提供する。【解決手段】ゴミ圧縮装置は、上部に開口部を備えたゴミ収納箱２０が甲板１０に着脱可能となるように搭載され、ゴミ収納箱の上方位置にゴミ圧縮板４０が取り付けられたリフティングテーブルであり、油圧シリンダ１７を備える昇降機を用いて、ゴミ圧縮板がゴミ収納箱内に位置するまで甲板を上昇させることでゴミ収納箱内のゴミを圧縮する。【選択図】図１
0003221107.tif 000002
【実用新案登録請求の範囲】
【請求項１】
甲板が昇降する手段を備えた昇降機と、前記甲板には着脱可能な手段にて固定された上部に開口部を備えたゴミ収納箱と、ゴミ圧縮手段が備わったゴミ圧縮装置
【請求項２】
前記ゴミ圧縮手段は、前記昇降機のシャーシに取り付けられる枠体と前記枠体の下方に突出したゴミ圧縮板であることを特徴とする請求項１記載のゴミ圧縮装置
【請求項３】
前記枠体は、前記昇降機のシャーシとの取り付け位置に回動機構を備えたことを特徴とする請求項１記載のゴミ圧縮装置
【請求項４】
前記甲板上にスライド台が備わったことを特徴とする請求項１記載のゴミ圧縮装置
【考案の詳細な説明】
【技術分野】
【０００１】本考案は、ゴミ収納箱内のゴミを圧縮するゴミ圧縮装置に関する。
【背景技術】
【０００２】ゴミ袋購入費用の節約やゴミ捨て回数の減少のため家庭や事務所等から排出される一般ゴミは圧縮式ゴミ箱が使用されている。また、産業用廃棄物に関しては、ゴミの容積換算での料金支払いや２トン車１台当たりの量で料金支払いが決まっているため一般ゴミの場合と同様に圧縮式ゴミ箱を利用してゴミの容積を減らすことで経費削減を行っている。
【先行技術文献】
【特許文献】
【０００３】
【特許文献１】特開２０１２−２４０８４８号
【考案の概要】
【考案が解決しようとする課題】
【０００４】本考案は、工場や事業所等から出る大量のゴミに対して、ゴミ圧縮機を導入することによりゴミ袋費用や産業廃棄物支払金の節約を実施しているが、当該装置の導入費用が高額であるため必要装置にも関わらず購入を断念する企業が多い。【０００５】特許文献１は、厚さ１２ミリの合板で、補強材や二重底により圧縮に耐える強固なゴミ箱を設け、補強材で補強した蓋にパッチン錠受け金具を取付け、前記ゴミ箱にパッチン錠ロック金具を設けて、蓋とゴミ箱とを４箇所取付けたパッチン錠により強固に締めつけ、蓋の裏側にナットを溶接したナット固定盤をネジ止で固定し、蓋の上部に六角ボルトを設けて前記ナット固定盤に通すと共に、六角ボルトの下端部にベアリング・ベアリング固定盤をそれぞれ溶接して、圧縮盤にネジ止で固定する方法である。しかし、本手法ではゴミ箱自体がコスト高になる。
【課題を解決するための手段】
【０００６】上記課題に鑑み、考案者は誠意工夫の結果、甲板が昇降する手段を備えた昇降機と、前記甲板には着脱可能な手段にて固定された上部に開口部を備えたゴミ収納箱と、ゴミ圧縮手段が備わったゴミ圧縮装置。【０００７】前記ゴミ圧縮手段は、前記昇降機のシャーシに取り付けられた枠体と前記枠体の下方に突出したゴミ圧縮板であることを特徴とするゴミ圧縮装置。【０００８】前記枠体は、前記昇降機のシャーシとの取り付け位置に回動機構を備えたことを特徴とするゴミ圧縮装置。【０００９】前記甲板上にスライド台が備わったことを特徴とするゴミ圧縮装置。
【考案の効果】
【００１０】上述の様に、本考案のゴミ圧縮装置により工場や事務所等から大量に排出されるゴミを圧縮することで、ゴミ袋費用や産業廃棄物支払金の節約が可能となるだけでなく、製造コストも安価となるため普及効果が高まる。
【図面の簡単な説明】
【００１１】
【図１】本考案の一実施形態に係るゴミ圧縮装置の側面図
【図２】本考案の一実施形態に係るゴミ圧縮装置の正面図
【図３】天板を上昇させた状態図を示す側面図
【図４】ゴミ収納箱をスライド台に取り付けたゴミ圧縮装置の側面図
【図５】枠体を傾斜させた状態でのゴミ圧縮装置の側面図
【考案を実施するための形態】
【００１２】以下、本発明に係る実施の形態を図面により説明するが、本考案の範囲は本実施形態に制限されるものではない。
【実施例】
【００１３】図１は、本考案の一実施形態に係るゴミ圧縮装置の側面図、図２には本考案の一実施形態に係るゴミ圧縮装置の前面図を示す。ゴミ圧縮装置に使用するリフティングテーブルの甲板（１０）の上にゴミ収納箱（２０）が搭載されており、当該ゴミ収納箱の着脱可能とするクランプ（２５）が前記甲板（１０）に取り付けられている。【００１４】前記リフティングテーブルのシャーシ（１５）には枠体（３０）が取り付けられ、前記枠体（３０）には下方に突出したゴミ圧縮板（４０）が取り付けられている。【００１５】図３は、天板（１０）を上昇させた状態図を示すが、リフティングテーブルに取り付けられた油圧シリンダー（１７）の足踏みペダル（１９）を踏み込むことにより甲板（１０）が上昇し、ゴミ収納箱（２０）内のゴミが圧縮される構造となっている。【００１６】図４は、図１のリフティングテーブルの甲板（１０）の上にスライド台（５０）が取り付けられ、前記スライド台の天板にゴミ収納箱（２０）が搭載されている。これにより前記スライド台（５０）をＡ方向に引き出すことでゴミ収納箱（２０）が移動するため前記ゴミ収納箱内のゴミ又はゴミ袋の回収が容易となる。【００１７】図５は、図示していないがラチェット機構を有する枠体（３０）がリフティングテーブルのシャシー（１５）に取り付けられており、破線図で示した枠体の位置からＢ方向に前記枠体を傾斜させた状態を示す。これにより、大きなゴミをゴミ収納箱（２０）に容易に投入することができるだけでなく、圧縮された重いゴミをリフトアツプして容易に車に積み込むことも可能となる。【００１８】他の実施形態として図示していないが、リフティングテーブルにキャスターを取り付けることで当該ゴミ圧縮装置の移動を容易にすることも可能であり、また、使用するゴミ収納箱の高さにより枠体の長さを調整できる構造にしても良い。本考案の応用として、圧縮板を備えた圧縮板取り付け支柱を部屋の壁や天井に固定することも可能である。
【符号の説明】
【００１９】１０    甲板
１５    シャーシ
１７    油圧シリンダー
１９    足踏みペダル
２０    ゴミ収容箱
２５    クランプ
３０    枠体
４０    ゴミ圧縮板
５０    スライド台
【図１】
0003221107.tif 000003
【図２】
0003221107.tif 000004
【図３】
0003221107.tif 000005
【図４】
0003221107.tif 000006
【図５】
0003221107.tif 000007
【手続補正書】
【提出日】平成31年1月7日(2019.1.7)
【手続補正１】
【補正対象書類名】実用新案登録請求の範囲
【補正対象項目名】全文
【補正方法】変更
【補正の内容】
【実用新案登録請求の範囲】
【請求項１】
甲板が昇降する手段を備えた昇降機と、前記甲板には着脱可能な手段にて固定された上部に開口部を備えたゴミ収納箱と、前記昇降機の台座部のシャーシには前記甲板の上面に対して垂直方向に取り付けられた枠体と、前記枠体の上部には前記ゴミ収納箱の開口部に向かって突出したゴミ圧縮板を備えたゴミ圧縮装置
【請求項２】
前記枠体の上部に取り付けられたゴミ圧縮板は、前記ゴミ収納箱の開口部を通過できるサイズであることを特徴とする請求項１記載のゴミ圧縮装置
【請求項３】
前記枠体は、前記昇降機の台座部のシャーシとの取り付け位置に回動機構を備えたことを特徴とする請求項１記載のゴミ圧縮装置
【請求項４】
前記甲板上にスライド台が備わり、当該スライド台にゴミ収納箱が着脱自在に固定されたことを特徴とする請求項１記載のゴミ圧縮装置